(57)【要約】【課題】製作コストを低減することができると共に、取付け取り外し作業も、迅速かつ容易に行い得る遊技機の灰皿の取付け構造を提供する。【解決手段】受け皿部１９に設けられ、灰皿本体２１を回動可能に支持し得る支持軸部２２，２２と、受け皿部１９に設けられ、上記灰皿本体２１を使用状態に固定して保持し得る保持部２３と、灰皿本体２１に設けられ、上記支持軸部２２を係脱可能に収納しうる軸受け部２４とを有し、上記支持軸部２２を上記軸受け部２４に係合すると共に、上記保持部２３により灰皿本体２１を保持することにより灰皿本体２１を受け皿部１９に固定する。【選択図】      図２
2004298230.tif 000002
【特許請求の範囲】
【請求項１】
遊技機の受け皿部に固定される灰皿の取り付け構造であって、受け皿部に設けられ、灰皿本体を回動可能に支持し得る支持軸部と、受け皿部に設けられ、上記灰皿本体を使用状態に固定して保持し得る保持部と、灰皿本体に設けられ、上記支持軸部を係脱可能に収納しうる軸受け部とを有し、
上記支持軸部を上記軸受け部に係合すると共に、上記保持部により灰皿本体を保持することにより灰皿本体を受け皿部に固定することを特徴とする遊技機の灰皿の取付け構造。
【請求項２】
上記受け皿部には、灰皿本体を収納しうる灰皿収納凹部が形成されると共に上記灰皿収納凹部内には上記支持軸部が突設され、
上記軸受け部は、灰皿本体の側方部に設けられた溝部により形成され、上記支持軸部の進入部と、この進入部に連通し、上記支持軸部を保持し得る軸受け本体部とを有し、
上記進入部は、灰皿本体下方に開口して上記支持軸部を受け入れ得るように形成された進入孔部と、この進入孔部に連続して形成され、上記軸受け本体部に連通するガイド部とを有することを特徴とする請求項１記載の遊技機の灰皿の取付け構造。
【請求項３】
上記保持部は、灰皿収納凹部の後端部に設けられると共に、上記軸受け部は、灰皿本体の前端部に設けられ、上記軸受け本体部は灰皿本体の前部斜め上方に開口する開口部を有する略Ｕ字状の突条溝部により形成され、
上記進入孔部は、上記灰皿本体の側方下端部において下方に開口して設けられ、上記ガイド部は、上記進入孔部と上記開口部との間に設けられ、灰皿本体の受け皿部への装着の際には、上記進入孔部から進入した支持軸部を、上記開口部を介して上記軸受け本体部内へ移動させうるように形成されていることを特徴とする請求項２記載の遊技機の灰皿の取付け構造。
【請求項４】
上記保持部は、上記灰皿収納凹部の後端部に設けられた段部により形成されると共に、上記灰皿本体の後端部に設けられた係止部が上記段部に係合することにより灰皿本体が灰皿収納凹部に固定されることを特徴とする請求項３記載の遊技機の灰皿の取付け構造。
【請求項５】
上記受け皿部及び灰皿本体は、合成樹脂による型成形により形成されることを特徴とする請求項１，２又は３記載の遊技機の灰皿の取付け構造。
【発明の詳細な説明】
【０００１】
【発明の属する技術分野】
本発明は、遊技機の灰皿の取付け構造の改良に関する。
【０００２】
【従来の技術】
一般に、スロットマシン等の遊技機にあっては、遊技機を構成する筐体の前面部を覆うフロントドアの下端部に設けられたメダル又は遊技球の受け皿部には、灰皿が設けられている。
【０００３】
従来、このような灰皿は、受け皿部を切り欠いて形成された、平面長方形状の収納部内に、互いに対向して支持軸部を設けると共に、箱状に形成された灰皿の前部両側下部にそれぞれ溝部を設け、この溝部内に上記一対の支持軸部を進入させて上記収納部内に灰皿を配置し、その後、灰皿下方から略コ字状の金属製の固定部材を灰皿下面部にビス留め固定することにより、上記溝部内の支持軸部を溝部内に支持して、収納部内に灰皿を固定していた。
【０００４】
【発明が解決しようとする課題】
しかしながら、このような従来の遊技機における灰皿の取付け構造にあっては、灰皿本体以外に、金属製の固定部材、固定用の複数のビスが必要となり、灰皿を形成するための取付け作業が煩雑であると共に、遊技機全体の製作コストが嵩む、という不具合が存していた。
【０００５】
また、遊技機は、市場の要請から、一定期間内に機種のデザインを更新する必要があるが、このような場合に、メダル等の受け皿を形成するパネルは新たなデザインの機種においても再利用される場合がある。
【０００６】
一方、灰皿そのものは短期間で非常に汚れやすいことから、新部品と交換する必要があり、このような場合には灰皿をメダル等の受け部材を形成するパネルから取り外す必要があるが、従来のような取付け構造の場合には、複数のビスにより固定を解除する必要があり、灰皿の取り外し作業も煩雑である、という不具合をも有していた。
【０００７】
なお、出願人は、出願時点での公知文献を認識していない。
そこで、本発明の課題は、製作コストを低減することができると共に、取付け取り外し作業も、迅速かつ容易に行い得る遊技機の灰皿の取付け構造を提供することにある。
【０００８】
【課題を解決するための手段】
前記課題を達成するために、本発明は以下の構成を有している。
本発明は、遊技機の受け皿部に固定される灰皿の取り付け構造であって、受け皿部に設けられ、灰皿本体を回動可能に支持し得る支持軸部と、受け皿部に設けられ、上記灰皿本体を使用状態に固定して保持し得る保持部と、灰皿本体に設けられ、上記支持軸部を係脱可能に収納しうる軸受け部とを有し、上記支持軸部を上記軸受け部に係合すると共に、上記保持部により灰皿本体を保持することにより灰皿本体を受け皿部に固定することを特徴とする。
【０００９】
従って、本発明にあっては、遊技機の灰皿を形成する場合には、従来のように、別途に、支持軸部の固定部材、固定手段としてのビス等を準備することが不要となり、部品点数を低減することが可能となり、全体としての遊技機の製作コストを低減することができる。
【００１０】
また、灰皿本体の受け皿部への取付けにあたっては、支持軸部を軸受け部に係合させると共に上記保持部により灰皿本体を保持させるでけでよいことから、灰皿の受け皿への取付け作業が容易かつ迅速に行なうことができる。
【００１１】
さらに、上記軸受け部は支持軸部を係脱可能に係合させることができるため、灰皿本体を受け皿部から、容易に取り外すことができる。その結果、灰皿を取り外す必要が生じた場合には，迅速かつ容易に、灰皿本体を取り外すことができる。
【００１２】
また、本発明にあっては、上記受け皿部には、灰皿本体を収納しうる灰皿収納凹部が形成されると共に上記灰皿収納凹部内には上記支持軸部が突設され、上記軸受け部は、灰皿本体の側方部に設けられた溝部により形成され、上記支持軸部の進入部と、この進入部に連通し、上記支持軸部を保持し得る軸受け本体部とを有し、上記進入部は、灰皿本体下方に開口して上記支持軸部を受け入れ得るように形成された進入孔部と、この進入孔部に連続して形成され、上記軸受け本体部に連通するガイド部とを有することを特徴とする。
【００１３】
従って、本発明にあっては、灰皿本体を灰皿収納凹部に固定する場合には、上記支持軸部を上記進入孔部から進入部内へ進入させ、ガイド部を介して軸受け本体部内に支持軸部を配置することにより行なわれる。
【００１４】
また、本発明にあっては、上記保持部は、灰皿収納凹部の後端部に設けられると共に、上記軸受け部は、灰皿本体の前端部に設けられ、上記軸受け本体部は灰皿本体の前部斜め上方に開口する開口部を有する略Ｕ字状の突条溝部により形成され、上記進入孔部は、上記灰皿の側方下端部において下方に開口して設けられ、上記ガイド部は、上記進入孔部と上記開口部との間に設けられ、上記進入孔部から進入した支持軸部を上記開口部内へ移動させうるように形成されていることを特徴とする。
【００１５】
従って、本発明にあっては、灰皿本体を灰皿収納凹部内に固定する場合には、下方に向かって開口する上記進入孔部から支持軸部を軸受け部内に進入させ、上記ガイド部を経て軸受け本体部内に配置する。この場合、軸受け本体部は、灰皿本体の前部斜め上方に開口していることから、支持軸部を回転中心として灰皿本体を反転させ、灰皿本体の後端部を上方へ上げることにより上記開口部を下に向け、開口部内に支持軸部を入れる。その後、灰皿本体を再度反転させて後端部を下方に下し、上記灰皿収納凹部の後端部に設けられた保持部に灰皿本体の後端部を保持させることにより灰皿本体を灰皿収納凹部内に使用状態に固定することができる。
【００１６】
また、灰皿本体を灰皿収納凹部内から取り外す場合には、上記と逆の手順により支持軸部と軸受け本体部との係合を解除し、支持軸部をガイド部を経て、進入孔部から外すことができる。
【００１７】
その結果、灰皿本体を迅速かつ容易に、受け皿に取付け又は受け皿から取り外すことが可能となる。
上記保持部は、上記灰皿収納凹部の後端部に設けられた段部により形成されると共に、上記灰皿本体の後端部に設けられた係止部が上記段部に係合することにより灰皿本体が灰皿収納凹部に固定されることを特徴とする。
【００１８】
また、本発明にあっては、上記受け皿部を形成するパネル及び灰皿本体は、合成樹脂による型成形により形成されることを特徴とする。
【００１９】
その結果、受け皿部を形成するパネル及び灰皿本体は合成樹脂により型の一体成形で形成されていることから、部品の製作コストを低減することができ、全体としての遊技機の製作コストを低減することができる。
【００２０】
【発明の実施の形態】
以下、本発明の実施の形態に係る遊技機を添付図面に基づいて詳細に説明する。
【００２１】
図１に示すように、本実施の形態に係る遊技機１０はパチスロ機であって、この遊技機１０の筐体１１の前面部を上下２段に分離して開閉可能に筐体１１を被覆する上方ドア１２と下方ドア１３とからなるフロントドア１４を有し、係脱可能な複数のユニット部として形成されたパネル部によりフロントドア１４が構成されている。
【００２２】
そして、本実施の形態にあっては、上記上方ドア１２はヒンジにより筐体１１に固定され、水平方向に回動して開閉できるように設けられていると共に、下方ドア１３は筐体１１に対して前後方向にスライドして開閉できるように設けられている。
【００２３】
上記下方ドア１３の下端部にはメダル受け皿１５が設けられている。このメダル受け皿１５は、図２及び図３に示すように、側面略Ｌ字状に形成された枠体部１６と、この枠体部１６に立設されるパネル１７とにより構成されている。
上記枠体部１６には、払い出されるメダルを一時的に保持し得るメダル受け皿部１９と、このメダル受け皿部１９の前方左側端部に形成された灰皿収納凹部２０が設けられ、この灰皿収納凹部２０内には灰皿本体２１が固定される。
【００２４】
そして、本実施の形態に係る遊技機の灰皿の取り付け構造にあっては、上記メダル受け皿部１９に設けられ、灰皿本体２１を回動可能に支持し得る支持軸部２２と、上記灰皿本体２１に設けられ、上記支持軸部２２を係脱可能に収納しうる軸受け部２４とを有し、上記支持軸部２２を上記軸受け部２４に係合すると共に、上記保持段部２３により灰皿本体２１の後端部４５を保持することにより灰皿本体２１をメダル受け皿１５に固定するように構成されている。
【００２５】
図２に示すように、上記灰皿収納凹部２０は、上記メダル受け皿部１９を前端部から切り欠いて、平面長方形状に形成され、両側部及び背面部に所定の高さ寸法の壁部２９ａ，２９ｂ，２９ｃが設けられ、これらの壁部２９ａ，２９ｂ，２９ｃによりメダル受け皿部１９から仕切られている。
【００２６】
この壁部２９を形成する対向する側壁部２９ａ，２９ｃの前端内方部には、上記上記支持軸部２２，２２が互いに対向して突設されている。この支持軸部２２，２２は本実施の形態にあっては、前部に斜め上方に向かう平面部４６が形成されている。
【００２７】
また、背面側壁部２９ｂの上端部には上記灰皿本体２１の後端部４３を保持し得る保持部２３が突設されている。
【００２８】
上記支持軸部２２，２２の間の間隔寸法は、後述の、灰皿本体２１の軸受け本体部２６，２６の間の間隔寸法と同一に形成されている。また、上記メダル受け皿部１９は、合成樹脂のインジェクション成形により一体に型成形されている。一方、上記灰皿本体２１は、上部が開放された箱状に形成され、後端部４３の上縁部は後方へ延設され、幅方向全域に亘って係止突部４５が形成されている。また、図３及び図４に示すように、上記軸受け部２４は、灰皿本体２１の前端部４４において両側方部に設けられ、夫々、突条３５，３６，３７により画成された溝部３８により形成されている。
【００２９】
即ち、上記軸受け本体部２６は全体略Ｕ字状に形成された突条３７により画成され、この軸受け部２４の略中央部に配置されている。この軸受け本体部２６は、灰皿本体２１の前部斜め上方に向けて開口する開口部３３を有している。この軸受け本体部２６を形成する突条３７は外周部３４が略円弧状に形成されている。
【００３０】
また、外方突条３５及び、この外方突条３５に連設された内方突条３６は上記軸受け本体部２６を包囲して配置され、外方突条３５及び内方突条３６により進入部２５が形成される。
【００３１】
その結果、上記軸受け部２４は、上記支持軸部２２，２２の進入部２５と、この進入部２５に連通し、上記支持軸部２２，２２を保持し得る軸受け本体部２６とを備えている。
【００３２】
図３及び図４に示すように、上記進入部２５は、灰皿本体２１の下方に開口して上記支持軸部２２，２２を受け入れ得るように形成された進入孔部２７と、この進入孔部２７に連続して形成され、上記軸受け本体部２６に連通するガイド部２８とを有している。
【００３３】
本実施の形態にあっては、上記進入孔部２７は、上記軸受け本体部２６の直下に形成され、この進入孔部２７の幅寸法は上記支持軸部２２の直径よりもやや大きく形成されている。
【００３４】
この進入孔部２７は上記ガイド部２８へ連通しており、このガイド部２８は、進入孔部２７の終端部３９と、上記軸受け本体部２６の開口部３３との間に亘って湾曲して設けられている。即ち、内方突条３６と共に上記進入孔部２７の一方を画成する外方突条３５は、灰皿本体２１の前方側へ大きく湾曲して延設され、上記開口部３３の前方を包囲して設けられている。
【００３５】
このガイド部２８の幅寸法は上記進入孔部２７の幅寸法と同様に支持軸部２１の幅寸法よりもやや大きく形成されている。
【００３６】
従って、外方突条３５の湾曲部４０により上記ガイド部２８が画成され、外方突条３５の終端部４１は、上記軸受け本体部２６の開口部３３の前方へ回り込んでおり、上記終端部４１は、上記Ｕ字状の開口部３３の上方突部４２の直近に配置され、上記終端部４１と上方突部４２との間の間隔寸法は、支持軸部の直径よりも小さく形成されている。
【００３７】
一方、上記外方突条３５と共に上記進入孔部２７を形成する内方突条３６は、灰皿本体内方へ向かって膨出して配置され、上記軸受け本体部２６の反開口部３３側を包囲し、下方へ延設されて上記外方突条３５と共に上記進入孔部２７を画成するように構成されている。
【００３８】
従って、このように構成された本実施の形態に係る遊技機の灰皿の取付け構造にあっては、灰皿本体２１を上記受け皿部１５の灰皿収納凹部２０に固定する場合には、先ず、灰皿本体２１の後端部４３を上方へ斜めに立てた状態で、灰皿本体２１を灰皿本体収納凹部２０内に配置し、軸受け部２４に支持軸部２２，２２を係合させる。
【００３９】
この場合、上記の姿勢で支持軸部２２，２２を、灰皿本体２１の進入孔部２７から軸受け部２４内に進入させる。支持軸部２２，２２は進入孔部２７へ進入した場合には、上記軸受け本体部２６を形成する突条部３７の周縁部３４が平面円形状に形成されていることから、この周縁部３４に沿って、上記ガイド部２８に入る。
【００４０】
この際に、灰皿本体２１をやや下方へ移動させ、相対的に上記支持軸部２２，２２をガイド部２８内において、灰皿本体２１の上方へ移動させる。この移動により上記支持軸部２２，２２は上記軸受け本体部２６の開口部３３の前方に至り、その後、灰皿本体２１をやや後端部４３方向へ引くことにより、支持軸部２２，２２を相対的に上記軸受け本体部２６内へ収納させる。
【００４１】
この場合、進入孔部２７及びガイド部２８の幅寸法は支持軸部２２の直径よりもやや大きく形成されていることから、進入孔部２７及びガイド部２８内を支持軸部２２は円滑に移動する。また、上記ガイド部２８は外方突如３５の湾曲部４０により形成されていることから、ガイド部２８内に進入した支持軸部２２はガイド部に沿って円滑に内部を移動する。
【００４２】
そして、終端部４１に至った場合には、軸受け本体部２６を形成する突条３７の上方突部４２との間の間隔寸法は、支持軸部２２の直径よりも小さく形成されていることから、支持軸部２２は支障なく開口部３３を介して、軸受け本体部２６内に収納される。
【００４３】
その結果、上記支持軸部２２，２２は上記軸受け本体２６内に収納されて配置され、その後、灰皿本体２１の後端部４３を下方に降ろすことにより、上記係止突部４５を上記保持段部２３に係合させることにより、灰皿本体２１を灰皿本体収納凹部２２内に固定する。
【００４４】
従って、遊技機１０をホールに設置して使用した場合に、灰皿本体２１内に吸殻等が溜まった場合で、灰皿本体２１の吸殻を除去する必要がある場合には，上記灰皿本体２１の後端部４３を持ち上げ、支持軸部２２，２２を中心に手前に回動させることにより、灰皿本体２１を反転させ、内部の吸殻等のごみを容易に除去することができる。
【００４５】
この場合、灰皿本体２１が手前に回動した場合には、上記軸受け本体部２６の開口部３３は図４中下方に向いた状態となることから、このような灰皿本体２１の回動動作が行われた場合であっても、何ら、支持軸部２２が軸受け本体部２６から外れてしまうことはない。
【００４６】
また、上記灰皿本体２１を取り外す場合には、上記と逆の手順により、支持軸部２２，２２を軸受け本体部２６から離脱させて、ガイド部２８を介して、進入孔部２７から支持軸部２２，２２を軸受け部２４外に出し、支持軸部２２，２２と軸受け部２４との係合を解除する。
【００４７】
その結果、本実施の形態にあっては、灰皿本体２１を容易にメダル受け皿１５に取付け、又は、取り外すことができる。
【００４８】
従って、遊技機１０をホールに設置して、所定期間使用し、遊技機のフロントドア１４のデザインを更新する必要がある場合であって、メダルの受け皿１５を形成するパネルは新たなデザインの機種においても再利用するような場合には、汚れている灰皿２１をメダルの受け皿１５から迅速に取り外し、新たな灰皿本体２１を取り付けたメダル受け皿１５を新機種に取付け、再利用することができる。
【００４９】
本実施の形態にあっては、灰皿本体２１は合成樹脂によるインジェクション成型により形成されていることから、製作コストを低減して灰皿本体２１を作製することができる。
【００５０】
なお、本実施の形態にあっては、本発明に係る遊技機の灰皿取り付け構造をパチスロ機に適用した場合を例に図示して説明したが、上記実施の形態に限定されず、パチンコ機等の弾球遊技機に適用することもできる。
【００５１】
【発明の効果】
本発明にあっては、遊技機の灰皿を形成する場合に、従来のように、別途に、支持軸部の固定部材、固定手段としてのビス等を準備することが不要となり、部品点数を低減することが可能となり、全体としての遊技機の製作コストを低減することができる。
【００５２】
また、灰皿本体の受け皿部への取付けにあたっては、支持軸部を軸受け部に係合させると共に上記保持部により灰皿本体を保持させるだけでよいことから、灰皿の受け皿への取付け作業が容易かつ迅速に行なうことができる。さらに、上記軸受け部は支持軸部を係脱可能に係合させることができるため、灰皿本体を受け皿部から、容易に取り外すことができる。
【００５３】
本発明にあっては、灰皿本体を灰皿収納凹部内に固定する場合には、灰皿本体の後端部を上方へ上げることにより上記開口部を下に向け、開口部内に支持軸部を入れた後、後端部を下方に下し、上記灰皿収納凹部の後端部に設けられた保持部に灰皿本体の後端部を保持させることにより灰皿本体を灰皿収納凹部内に固定する。また、灰皿本体を灰皿収納凹部内から取り外す場合には、上記と逆の手順により取り外すことができ、灰皿本体を迅速かつ容易に、受け皿に取付け又は受け皿から取り外すことが可能となる。
【００５４】
また、本発明にあっては、上記受け皿部を形成するパネル及び灰皿本体は、合成樹脂による型成形により形成され、受け皿部を形成するパネル及び灰皿本体は合成樹脂により型の一体成形で形成されていることから、部品の製作コストを低減することができ、全体としての遊技機の製作コストを低減することができる。
【図面の簡単な説明】
【図１】本発明に係る遊技機の一実施の形態を示す斜視図である。
【図２】本発明に係る遊技機の灰皿の取付構造の一実施の形態に係る分解斜視図である。
【図３】本発明に係る遊技機の灰皿の取り付け構造一実施の形態を示し、軸受け部を拡大して示す斜視図である。
【図４】本発明に係る遊技機の灰皿の取り付け構造一実施の形態を示し、軸受け部を拡大して示す側面図である。
【図５】本発明に係る遊技機の灰皿の取付構造の一実施の形態に係る斜視図である。
【符号の説明】
１０  遊技機
１１  筐体
１２  上方ドア
１３  下方ドア
１４  フロントドア
１５  メダル受け皿
１６  枠体部
１７  パネル
１９  メダル受け皿部
２０  灰皿収納凹部
２１  灰皿本体
２２  支持軸部
２３  保持段部
２４  軸受け部
２５  進入部
２６  軸受け本体部
２７  進入孔部
２８  ガイド部
２９  壁部
３３  開口部
３４  外周部
３５  突条
３６  突条
３７  突条
３８  溝部
３９  終端部
４０  湾曲部
４１  終端部
４２  上方突部
４３  後端部
４４  前端部
４５  係止突部
４６  平面部
【図１】
2004298230.tif 000003
【図２】
2004298230.tif 000004
【図３】
2004298230.tif 000005
【図４】
2004298230.tif 000006
【図５】
2004298230.tif 000007